(57)【要約】【課題】建物の開口部周辺から屋内への水の浸入を防止するとともに開口部周辺の意匠性を向上させる、低コストでかつ施工作業性が良い開口部のリフォーム方法を提供する。【解決手段】建物１の外壁２に設けられた開口部２１のリフォーム方法であって、外壁２のうち開口部２１の下辺両隅部分に水切り用開口部２２Ｌ，２２Ｒを設け、この水切り用開口部２２Ｌ，２２Ｒに、屋内への水の浸入を防止する水切り部材４Ｌ，４Ｒを取り付けた後、水切り用開口部２２Ｌ，２２Ｒを覆うように、外壁２に化粧部材５を取り付ける。【選択図】　　　　　　図１
2004143883.tif 000002
【特許請求の範囲】
【請求項１】
建物の外壁に設けられた開口部のリフォーム方法であって、前記外壁のうち前記開口部下辺の少なくとも一方の隅部分に水切り用開口部を設け、
この水切り用開口部に、屋内への水の浸入を防止する水切り部材を取り付けた後、
前記水切り用開口部を覆うように、前記外壁に化粧部材を取り付けることを特徴とする開口部のリフォーム方法。
【請求項２】
請求項１に記載のリフォーム方法において、
前記水切り部材は、前記外壁の屋内側の面から屋外側の面に設けられた本体と、この本体の屋内側端部から上方に延びる水受け部とを備えていることを特徴とする開口部のリフォーム方法。
【請求項３】
請求項１または請求項２に記載のリフォーム方法において、前記化粧部材は、前記開口部上辺に沿って取り付けられた上辺部分と、前記開口部の側辺に沿って取り付けられた側辺部分とを有し、
前記上辺部分を前記外壁に取り付けた後、この上辺部分と前記外壁との間に、水の浸入を防止する第１止水部材を設けることを特徴とする開口部のリフォーム方法。
【請求項４】
請求項３に記載のリフォーム方法において、
前記上辺部分の前記外壁と対向する面に、内部に浸入した水を排出する第２止水部材を設け、前記上辺部分を前記外壁に取り付けた後、この上辺部分と前記外壁との間であるとともに前記第２止水部材の上方に、前記第１止水部材を設けることを特徴とする開口部のリフォーム方法。
【請求項５】
請求項４に記載のリフォーム方法において、
前記第２止水部材を、その上端面が、前記上辺部分の中央部分から両側辺に向かって下がるように形成することを特徴とする開口部のリフォーム方法。
【請求項６】
請求項３から請求項５のいずれかに記載のリフォーム方法において、
前記側辺部分の前記外壁と対向する面に、内部への水の浸入を防止する第３止水部材を設けた後、前記側辺部分を前記外壁に取り付けることを特徴とする開口部のリフォーム方法。
【請求項７】
請求項６に記載のリフォーム方法において、
前記第３止水部材を、その上端面が、前記開口部側から外側に向かって下がるように形成することを特徴とする開口部のリフォーム方法。
【請求項８】
請求項３から請求項７のいずれかに記載のリフォーム方法において、
前記第１止水部材、前記第２止水部材、前記第３止水部材のうち少なくとも１つを、コーキング材で形成することを特徴とする開口部のリフォーム方法。
【発明の詳細な説明】
【０００１】
【発明の属する技術分野】
本発明は、建物の開口部周辺のリフォーム方法に関する。
【０００２】
【背景技術】
従来より、建物の開口部周辺からの屋内への水の浸入を防止するとともに、開口部周辺の意匠性を向上させるリフォーム方法がある（たとえば、特許文献１参照）。
このリフォーム方法は、建物の開口部周りに胴縁を取り付け、外装材の端面を挿入し得る凹溝を備えた化粧部材を、胴縁を利用して開口部周りに固定し新たな開口部を形成し、外装材をその端面部分を凹溝に挿入しながら建物壁面に張り付ける。
上述したリフォーム方法に用いられる化粧部材は、新たな開口部周りの４周を形成する直線状部材と４隅コーナー部に配置されるコーナー部材とを有し、これら直線状部材およびコーナー部材には外装材の端面が挿入される凹溝と化粧凸条等とが備えられている。
【０００３】
【特許文献１】
特開２００２−１８８２７９号公報（［００１１］〜［００１８］、第図１、２、４）
【０００４】
【発明が解決しようとする課題】
ところで、特許文献１のリフォーム方法は、建物の開口部周辺に化粧部材を取り付けるとともに新たに胴縁および外装材を取り付ける必要があったので、材料コストおよび施工コストが高く、その施工作業も煩雑であった。
このリフォーム方法に用いられる化粧部材は、凹溝、化粧凸条等を備えた複雑な形状を有しているので、その成型コストが高くなるとともに、屋外側表面に模様等を施しにくく意匠の自由度が低かった。
特に、建物の開口部周辺においては、その構造上、水が浸入することがあり、その場合、浸入した水は開口部の下辺隅部分にたまり易くその部分から屋内に浸入することがあるので、防水処理を重点的に行う必要があった。
【０００５】
本発明の目的は、建物の開口部周辺から屋内への水の浸入を防止するとともに開口部周辺の意匠性を向上させる、低コストでかつ施工作業性が良い開口部のリフォーム方法、を提供することにある。
【０００６】
【課題を解決するための手段】
本発明の開口部のリフォーム方法は、建物１の外壁２に設けられた開口部２１のリフォーム方法であって、前記外壁２のうち前記開口部２１下辺の少なくとも一方の隅部分に水切り用開口部２２Ｌ，２２Ｒを設け、この水切り用開口部２２Ｌ，２２Ｒに、屋内への水の浸入を防止する水切り部材４Ｌ，４Ｒを取り付けた後、前記水切り用開口部２２Ｌ，２２Ｒを覆うように、前記外壁２に化粧部材５を取り付けることを特徴とする。
【０００７】
この発明によれば、水がたまり易い開口部２１の下辺隅部分に設けた水切り用開口部２２Ｌ，２２Ｒに水切り部材４Ｌ，４Ｒを取り付けたので、開口部２１周辺から水が浸入しても水切り部材４Ｌ，４Ｒにより浸入した水を屋外へ排出することができる。したがって、開口部２１の下辺隅部分への水の浸入を防止するので、防水処理作業を簡略化もしくは無くすことができる。
化粧部材５を必ずしも複雑な形状にする必要がないので、化粧部材５の成型コストを抑えることができるとともに、屋外側表面に模様等を容易に施すことができ意匠の自由度が高くなるので、開口部２１周辺の意匠性を向上させることができる。
開口部２１周辺に化粧部材５を取り付けるために、新たな胴縁および外装材を取り付ける必要がないので、材料コストおよび施工コストを抑えることができるとともに、施工作業性良く開口部２１のリフォームを行うことができる。
【０００８】
本発明では、前記水切り部材４Ｌ，４Ｒは、前記外壁２の屋内側の面から屋外側の面に設けられた本体４２と、この本体４２の屋内側端部から上方に延びる水受け部４１とを備えていることが望ましい。
この発明によれば、開口部２１周辺から浸入した水を、水受け部４１および本体４２を介して外壁２の屋外側の面へ排出するように水切り部材４Ｌ，４Ｒを取り付けたので、屋内への水の浸入をより確実に防ぐことができる。
【０００９】
本発明では、前記化粧部材５は、前記開口部２１上辺に沿って取り付けられた上辺部分５１と、前記開口部２１の側辺に沿って取り付けられた側辺部分５２Ｌ，５２Ｒとを有し、前記上辺部分５１を前記外壁２に取り付けた後、この上辺部分５１と前記外壁２との間に、水の浸入を防止する第１止水部材６１を設けることが望ましい。
この発明によれば、上辺部分５１と外壁２との間に第１止水部材６１を設けたので、上辺部分５１に達した水は、第１止水部材６１により開口部２１周辺への進路を遮られる。
したがって、開口部２１周辺への水の浸入を防ぐことができるので、屋内への水の浸入も防ぐことができる。
【００１０】
本発明では、前記上辺部分５１の前記外壁２と対向する面に、内部に浸入した水を排出する第２止水部材６２を設け、前記上辺部分５１を前記外壁２に取り付けた後、この上辺部分５１と前記外壁２との間であるとともに前記第２止水部材６２の上方に、前記第１止水部材６１を設けることが望ましい。
この発明によれば、第１止水部材６１の下方に第２止水部材６２を設けたので、第１止水部材６１の劣化などによりこの第１止水部材６１を通過してしまい内側に浸入した水および上辺部分５１の側辺方向から内側に浸入した水は、第２止水部材６２に達しこの第２止水部材６２を伝って排出される。
したがって、第１止水部材６１のみを設けた構成と比べて、開口部２１周辺への水の浸入をより確実に防ぐことができるので、屋内への水の浸入も防ぐことができる。
【００１１】
本発明では、前記第２止水部材６２を、その上端面が、前記上辺部分５１の中央部分から両側辺に向かって下がるように形成することが望ましい。
この発明によれば、第１止水部材６１の劣化などによりこの第１止水部材６１を通過してしまい内側に浸入した水および上辺部分５１の側辺方向から浸入した水は、第２止水部材６２に達しこの第２止水部材６２の上端面を伝って斜め下方に案内され上辺部分５１の側辺方向から排出される。
したがって、第２止水部材６２の上端面が他の形状に形成されている構成と比べて水が排出されやすくなるので、開口部２１周辺への水の浸入をより確実に防ぐことができ、屋内への水の浸入も防ぐことができる。
【００１２】
本発明では、前記側辺部分５２Ｌ，５２Ｒの前記外壁２と対向する面に、内部への水の浸入を防止する第３止水部材６３Ａ，６３Ｂを設けた後、前記側辺部分５２Ｌ，５２Ｒを前記外壁２に取り付けることが望ましい。
この発明によれば、側辺部分５２Ｌ，５２Ｒと外壁２との間に第３止水部材６３Ａ，６３Ｂを設けたので、側辺部分５２Ｌ，５２Ｒの側辺方向から内側に浸入した水は、第３止水部材６３Ａ，６３Ｂにより境界への進路を遮られ境界に達することができない。
したがって、第１止水部材６１および／または第２止水部材６２のみを設けた構成と比べて、側辺方向からの開口部２１周辺への水の浸入をより確実に防ぐことができるので、屋内への水の浸入も防ぐことができる。
【００１３】
本発明では、前記第３止水部材６３Ａ，６３Ｂを、その上端面が、前記開口部２１側から外側に向かって下がるように形成することが望ましい。
この発明によれば、側辺部分５２Ｌ，５２Ｒの側辺方向から内側に浸入してきた水は、第３止水部材６３Ａ，６３Ｂの上端面を伝って斜め下方に案内され側辺部分５２Ｌ，５２Ｒの側辺方向から排出される。
したがって、第３止水部材６３Ａ，６３Ｂの上端面が他の形状に形成されている構成と比べて水が排出されやすくなるので、側辺方向からの開口部２１周辺への水の浸入をより確実に防ぐことができ、屋内への水の浸入も防ぐことができる。
【００１４】
本発明では、前記第１止水部材６１、前記第２止水部材６２、前記第３止水部材６３Ａ，６３Ｂのうち少なくとも１つを、コーキング材で形成することが望ましい。
この発明によれば、止水部材を水密性に優れたコーキング材で形成したので、他の材料を用いるときと比べて、開口部２１周辺への水の浸入をより確実に防ぐことができるので、屋内への水の浸入も防ぐことができる。
【００１５】
【発明の実施の形態】
以下、本発明の一実施形態を図面に基づいて説明する。
図１には、本実施形態に係る方法により開口部のリフォームが施された建物１の正面図が示されている。
建物１に備えられた外壁２には、正面略矩形状の開口部２１が備えられており、この開口部２１には窓を設けるためのサッシ３が嵌合されている。
外壁２において、開口部２１の下辺両隅部分には、それぞれ略Ｌ字形状の水切り用開口部２２Ｌ，２２Ｒが備えられており、これら水切り用開口部２２Ｌ，２２Ｒには、水切り部材としてのプレート４Ｌ，４Ｒが嵌合されている。
サッシ３には、その外周に沿って矩形板形状を有する化粧部材としてのサイディング５が備えられている。
【００１６】
図２には、図１におけるＩＩ−ＩＩ線に沿う矢視断面図が示されている。
外壁２は、図２に示すように、壁を構成する構造材としての壁躯体２３と、防湿防水材としてのフェルト２４と、仕上げ部材としてのモルタル２５とを有し、フェルト２４とモルタル２５との間にはこの両者間の接着性を高めるための金網２６が設けられている。
水切り用開口部２２Ｌは、外壁２を構成するモルタル２５および金網２６が切り抜かれることにより形成されている。
【００１７】
図３（Ａ）には、プレート４Ｌの斜視図が示されている。
プレート４Ｌは、樹脂材により一体に形成されており、Ｌ字形状を有する水受け部４１と、それぞれ長方形形状を有する本体４２と、排水部４３と、水止め部４４，４５とを備えている。
水受け部４１の下辺には、本体４２が接合されている。
本体４２の水受け部４１が接合された辺と対向する辺には、排水部４３の上辺が接合されている。
水受け部４１および本体４２の一方（図３（Ａ）における左側）の側辺には、水止め部４４が接合されている。
水受け部４１および本体４２の他方（図３（Ａ）における右側）の側辺には、水止め部４５が接合されている。
【００１８】
水受け部４１は、図２に示すように、フェルト２４に密着されているとともに、水受け部４１の上辺と水切り用開口部２２Ｌの上辺との間には、モルタル２５を伝ってきた水を水受け部４１に案内するための図示されないテープが必要に応じて設けられている。
本体４２は、水切り用開口部２２Ｌの屋内側の面と屋外側の面とを架けるように設けられ、この水切り用開口部２２Ｌの下辺に密着されている。
排水部４３は、外壁２の屋外側の面と密着されている。
【００１９】
図４には、プレート４Ｌが嵌合された水切り用開口部２２Ｌ近傍の正面図が示されている。
水受け部４１は、図４に示すように、サッシ３の側辺部、下辺部および水切り用開口部２２Ｌの一方（図４における左側）の側辺に密着されている。
水止め部４４は、水切り用開口部２２Ｌの一方の側辺に密着されており、水止め部４５は、その上端がサッシ３の下辺部と密着されている。
同様にして、プレート４Ｌと左右対称形状に形成されたプレート４Ｒは、水切り用開口部２２Ｌと左右対称位置の設けられた水切り用開口部２２Ｒに嵌合されている。
【００２０】
サイディング５は、図１に示すように、サッシ３の上辺部に沿って設けられた上辺部分としての上辺サイディング５１と、サッシ３両側辺部にそれぞれ沿って設けられた側辺部分としての側辺サイディング５２Ｌ，５２Ｒと、サッシ３の下辺部に沿って設けられた下辺サイディング５３とを備えている。
図５には、図１におけるＶ−Ｖ線に沿う矢視断面図が示されている。
たとえば図５に示すように、サッシ３の上辺部の屋外側面（図５における右側）は、外壁２から突出されるように開口部２１に嵌合されており、この突出部分の上辺に沿って上辺サイディング５１が備えられている。
同様にして、サッシ３の側辺部および下辺部の屋外側面は、外壁２から突出されるように開口部２１に嵌合されており、この突出された部分に沿って側辺サイディング５２Ｌ，５２Ｒおよび下辺サイディング５３が備えられている。
説明のために、上辺サイディング５１、側辺サイディング５２Ｌ，５２Ｒ、下辺サイディング５３の、外壁２と対向する面を屋内側面、この屋内側面と対向する面を屋外側面とする。
【００２１】
上辺サイディング５１の屋内側面の上辺には、図１に示すように、この上辺に沿って溝５１１が形成されており、この溝５１１には棒形状を有する第１止水部材としての第１コーキング６１が備えられている。
第１コーキング６１の下方には、この第１コーキング６１の長辺方向の略中央と上辺サイディング５１の下辺両端とを結ぶように凹溝５１２が備えられており、この凹溝５１２には棒形状を有する第２止水部材としての第２コーキング６２が備えられている。
上辺サイディング５１の屋外側面の下辺には、この下辺に沿って溝５１４が備えられており、この溝５１４には上辺サイディング５１とサッシ３の上辺部との密着面からの水の浸入を防止するための棒形状を有する第４コーキング６４が備えられている。
上辺サイディング５１は、図５に示すように、その屋内側面が第１コーキング６１および第２コーキング６２を介して外壁２に取り付けられている。
上辺サイディング５１は、その下面においてサッシ３の上辺部に取り付けられているとともに、この取り付け部分の屋外側には第４コーキング６４が設けられている。
【００２２】
側辺サイディング５２Ｌの屋内側面には、図１に示すように、この屋内側面におけるサッシ３の側辺部と接する側辺から、この側辺と対向する側辺に向かって下りの傾斜を形成するように、凹溝５２３Ａ，５２３Ｂが備えられており、この凹溝５２３Ａ，５２３Ｂには棒形状を有する第３止水部材としての第３コーキング６３Ａ，６３Ｂが備えられている。
側辺サイディング５２Ｌの屋外側面のサッシ３の側辺部と接する側辺には、この側辺に沿って溝５２４が備えられており、この溝５２４には第４コーキング６４が備えられている。
側辺サイディング５２Ｌは、その屋外側面が第３コーキング６３Ａ，６３Ｂを介して外壁２に取り付けられている。
側辺サイディング５２Ｌは、その側面においてサッシ３の側辺部に取り付けられているとともに、この取り付け部分の屋外側には第４コーキング６４が設けられている。
側辺サイディング５２Ｒは、側辺サイディング５２Ｌを左右反転させた形状を有しており、上述した方法により、サッシ３の側辺部に取り付けられている。
【００２３】
下辺サイディング５３の屋外側面の上辺には、この上辺に沿って溝５３４が備えられており、この溝５３４には第４コーキング６４が備えられている。
下辺サイディング５３は、その屋外側面が外壁２に取り付けられている。
下辺サイディング５３は、その上面においてサッシ３の下辺部に取り付けられているとともに、この取り付け部分の屋外側には第４コーキング６４が設けられている。
上辺サイディング５１と側辺サイディング５２Ｌ，５２Ｒとの接触部分、および、側辺サイディング５２Ｌ，５２Ｒと下辺サイディング５３との接触部分はそれぞれ密着されている。
【００２４】
本実施形態の開口部のリフォーム方法を説明する。
図６、図７には、開口部のリフォーム方法の説明図が示されてる。
サッシ３が取り付けられた外壁２の開口部２１において、図６に示すように、サッシ３の下辺両隅部分のモルタル２５および金網２６を、のこぎり、カッタその他の切断器具を用いて略Ｌ字形状に切り抜き、水切り用開口部２２Ｌ，２２Ｒを形成する。
【００２５】
一方の水切り用開口部２２Ｌに、図７に示すように、プレート４Ｌを嵌合する。
このとき、前述したように、水受け部４１とサッシ３の下端隅部および水切り用開口部２２Ｌとが密着し、本体４２と水切り用開口部２２Ｌとが密着し、水止め部４４と水切り用開口部２２Ｌとが密着し、水止め部４５とサッシ３の下辺部とが密着するように嵌合させる。
ここで、水受け部４１の上辺と水切り用開口部２２Ｌの上辺との間に隙間が生じることがあるので、必要に応じてこの隙間を塞ぐように図示されないテープを貼り付ける。
同様の方法により、水切り用開口部２２Ｒにプレート４Ｒを嵌合させた後、必要に応じて水受け部４１の上辺と水切り用開口部２２Ｒの上辺との間にテープを貼り付ける。
【００２６】
第２コーキング６２を、接着剤などの止着部材により上辺サイディング５１の凹溝５１２に取り付ける。
第２コーキング６２が外壁２に密着するとともに、上辺サイディング５１の下面がサッシ３の上辺部に密着するように、上辺サイディング５１を接着剤等の止着部材により外壁２およびサッシ３の上辺部に取り付ける。
第１コーキング６１を、接着剤などの止着部材により上辺サイディング５１の溝５１１および外壁２に取り付ける。
第３コーキング６３Ａ，６３Ｂを、接着剤などの止着部材により側辺サイディング５２Ｌの凹溝５２３Ａ，５２３Ｂに取り付ける。
第３コーキング６３Ａ，６３Ｂが外壁２に密着し、側辺サイディング５２Ｌの側面がサッシ３の側辺部に密着し、側辺サイディング５２Ｌの上面が上辺サイディング５１の下面に密着するように、側辺サイディング５２Ｌを接着剤等の止着部材により外壁２、サッシ３の側辺部、上辺サイディング５１に取り付ける。
上述した方法により、側辺サイディング５２Ｒを、接着剤などの止着部材により外壁２、サッシ３の側辺部、上辺サイディング５１に取り付ける。
【００２７】
下辺サイディング５３が外壁２に接触するとともに、下辺サイディング５３の両側面が側辺サイディング５２Ｌ，５２Ｒの側面に密着するように、下辺サイディング５３を、接着剤などの止着部材により外壁２および側辺サイディング５２Ｌ，５２Ｒに取り付ける。
第４コーキング６４を、接着剤などの止着部材により、上辺サイディング５１の溝５１４とサッシ３の上辺部、側辺サイディング５２Ｌ，５２Ｒのそれぞれの溝５２４とサッシ３の両側辺部、下辺サイディング５３の溝５３４とサッシ３の下辺部に、それぞれ取り付ける。
【００２８】
上述のような実施形態によれば、次のような効果がある。
水がたまり易い開口部２１の下辺両隅部分のモルタル２５および金網２６を略Ｌ字形状に切り抜き、水切り用開口部２２Ｌ，２２Ｒを形成した後、この水切り用開口部２２Ｌ，２２Ｒに樹脂材で形成されたプレート４Ｌ，４Ｒを取り付けたので、開口部２１周辺から水が浸入してもプレート４Ｌ，４Ｒにより、この浸入した水を屋外へ排出することができる。
したがって、開口部２１の下辺両隅部分への水の浸入を防止するので、防水処理作業を簡略化もしくは無くすことができる。
【００２９】
サイディング５を必ずしも複雑な形状にする必要がないので、サイディング５の成型コストを抑えることができるとともに、屋外側表面に模様等を容易に施すことができ意匠の自由度が高くなるので、開口部２１周辺の意匠性を向上させることができる。
開口部２１周辺にサイディング５を取り付けるために、新たな胴縁および外装材を取り付ける必要がないので、材料コストおよび施工コストを抑えることができるとともに、施工作業性良く開口部２１のリフォームを行うことができる。
【００３０】
プレート４Ｌ，４Ｒに、水受け部４１と、本体４２と、排水部４３と、水止め部４４，４５とを設けたので、開口部２１の下辺両隅部分に浸入してきた水は、水受け部４１、水止め部４４，４５により受けられた後、本体４２を介して排水部４３に案内され外壁２の屋外側の面に排出される。
したがって、屋内への水の浸入をより確実に防ぐことができる。
【００３１】
上辺サイディング５１と外壁２との間に第１コーキング６１を設けたので、上辺サイディング５１に達した水は第１コーキング６１により開口部２１周辺への進路を遮られる。
したがって、開口部２１周辺への水の浸入を防ぐことができるので、屋内への水の浸入も防ぐことができる。
第１コーキング６１の下方に、この第１コーキング６１の長辺方向の略中央と上辺サイディング５１の下辺両端とを結ぶように第２コーキング６２を備えたので、第１コーキング６１の劣化などによりこの第１コーキング６１を通過して内側に浸入した水および上辺サイディング５１の側辺方向から内側に浸入した水は、第２コーキング６２の上端面を伝って上辺サイディング５１の側辺方向から排出される。
したがって、開口部２１周辺への水の浸入をより確実に防ぐことができるので、屋内への水の浸入も防ぐことができる。
【００３２】
側辺サイディング５２Ｌ，５２Ｒと外壁２との間に、側辺サイディング５２Ｌ，５２Ｒにおけるサッシ３の側辺部と接する側辺から、この側辺と対向する側辺に向かって、下りの傾斜を形成するように第３コーキング６３Ａ，６３Ｂを設けたので、側辺サイディング５２Ｌ，５２Ｒの外側の側辺方向から内側に浸入した水は、第３コーキング６３Ａ，６３Ｂの上端面を伝って側辺サイディング５２Ｌ，５２Ｒから排出される。
したがって、第１コーキング６１および／または第２コーキング６２のみを設けた構成と比べて、側辺サイディング５２Ｌ，５２Ｒの外側の側辺方向からの開口部２１周辺への水の浸入をより確実に防ぐことができるので、屋内への水の浸入も防ぐことができる。
第１コーキング６１、第２コーキング６２、第３コーキング６３Ａ，６３Ｂ、第４コーキング６４を、水密性に優れたコーキング材で形成したので、他の材料を用いるときと比べて、開口部２１周辺への水の浸入をより確実に防ぐことができるので、屋内への水の浸入も防ぐことができる。
【００３３】
なお、本発明は前記実施形態に限定されるものではなく、本発明の目的を達成できる範囲での変形、改良は本発明に含まれるものである。
たとえば、プレート４Ｌに排水部４３、水止め部４４，４５を設けたが、図３（Ｂ）に示すような排水部４３が設けられていないプレート７Ｌ、図３（Ｃ）に示すような水止め部４４，４５が設けられていないプレート８Ｌ、図３（Ｄ）に示すような排水部４３、水止め部４４，４５が設けられていないプレート９Ｌを用いても良い。
水切り用開口部２２Ｌ，２２Ｒを略Ｌ字形状としたが、開口部２１の下辺隅部分の形状に沿うような他の形状としても良い。
要は、開口部２１の下辺隅部分に浸入してきた水を確実に屋外へ排出できれば、プレート４Ｌ，４Ｒおよび水切り用開口部２２Ｌ，２２Ｒの形状、プレート４Ｌ，４Ｒの材質、プレート４Ｌ，４Ｒの水切り用開口部２２Ｌ，２２Ｒへの取り付け方法等は問われない。
【００３４】
上辺サイディング５１と側辺サイディング５２Ｌ，５２Ｒと下辺サイディング５３とを組み合わせてから、サイディング５を外壁２に取り付けても良い。
上辺サイディング５１と側辺サイディング５２Ｌ，５２Ｒと下辺サイディング５３のうちの少なくとも２つが一体に成形されたものを用いても良い。
第１コーキング６１、第２コーキング６２、第３コーキング６３Ａ，６３Ｂ、第４コーキング６４に棒形状に成形されたコーキング材を用いたが、合成樹脂または合成ゴム製のペースト状の材料等のシーリング材料を用いても良い。
側辺サイディング５２Ｌ，５２Ｒに、２つの第３コーキング６３Ａ，６３Ｂを設けたが、第３コーキング６３Ａのみでも良いし、さらに新たな止水部材を設けても良い。
要は、第１コーキング６１、第２コーキング６２、第３コーキング６３Ａ，６３Ｂ、第４コーキング６４が、止水の役割を果たせば、その形状、材料、取り付け方法等は問われない。
必要に応じて、外壁２とサイディング５の外周との隙間を塞ぐように、コーキング処理を施しても良い。
【００３５】
【発明の効果】
以上に説明したように、請求項１の発明によれば、水がたまり易い開口部の下辺隅部分に設けた水切り用開口部に水切り部材を取り付けたので、開口部周辺から水が浸入しても水切り部材により浸入した水を屋外へ排出することができる。したがって、開口部の下辺隅部分への水の浸入を防止するので、防水処理作業を簡略化もしくは無くすことができる。
化粧部材を必ずしも複雑な形状にする必要がないので、化粧部材の成型コストを抑えることができるとともに、屋外側表面に模様等を容易に施すことができ意匠の自由度が高くなるので、開口部周辺の意匠性を向上させることができる。
開口部周辺に化粧部材を取り付けるために、新たな胴縁および外装材を取り付ける必要がないので、材料コストおよび施工コストを抑えることができるとともに、施工作業性良く開口部のリフォームを行うことができる。
【００３６】
請求項２の発明によれば、開口部周辺から浸入した水を、水受け部および本体を介して外壁の屋外側の面へ排出するように水切り部材を取り付けたので、屋内への水の浸入をより確実に防ぐことができる。
【００３７】
請求項３の発明によれば、上辺部分と外壁との間に第１止水部材を設けたので、上辺部分に達した水は、第１止水部材により開口部周辺への進路を遮られる。したがって、開口部周辺への水の浸入を防ぐことができるので、屋内への水の浸入も防ぐことができる。
【００３８】
請求項４の発明によれば、第１止水部材の下方に第２止水部材を設けたので、第１止水部材の劣化などによりこの第１止水部材を通過してしまい内側に浸入した水および上辺部分の側辺方向から内側に浸入した水は、第２止水部材に達しこの第２止水部材を伝って排出される。
したがって、第１止水部材のみを設けた構成と比べて、開口部周辺への水の浸入をより確実に防ぐことができるので、屋内への水の浸入も防ぐことができる。
【００３９】
請求項５の発明によれば、第１止水部材の劣化などによりこの第１止水部材を通過してしまい内側に浸入した水および上辺部分の側辺方向から浸入した水は、第２止水部材に達しこの第２止水部材の上端面を伝って斜め下方に案内され上辺部分の側辺方向から排出される。
したがって、第２止水部材の上端面が他の形状に形成されている構成と比べて水が排出されやすくなるので、開口部周辺への水の浸入をより確実に防ぐことができるので、屋内への水の浸入も防ぐことができる。
【００４０】
請求項６の発明によれば、側辺部分と外壁との間に第３止水部材を設けたので、側辺部分の側辺方向から内側に浸入した水は、第３止水部材により境界への進路を遮られ境界に達することができない。
したがって、第１止水部材および／または第２止水部材のみを設けた構成と比べて、側辺方向からの開口部周辺への水の浸入をより確実に防ぐことができるので、屋内への水の浸入も防ぐことができる。
【００４１】
請求項７の発明によれば、側辺部分の側辺方向から内側に浸入してきた水は、第３止水部材の上端面を伝って斜め下方に案内され側辺部分の側辺方向から排出される。
したがって、第３止水部材の上端面が他の形状に形成されている構成と比べて水が排出されやすくなるので、側辺方向からの開口部周辺への水の浸入をより確実に防ぐことができ、屋内への水の浸入も防ぐことができる。
【００４２】
請求項８の発明によれば、止水部材を水密性に優れたコーキング材で形成したので、他の材料を用いるときと比べて、開口部周辺への水の浸入をより確実に防ぐことができるので、屋内への水の浸入も防ぐことができる。
【図面の簡単な説明】
【図１】本発明の一実施形態に係るリフォームが施された建物の正面図。
【図２】図１のＩＩ−ＩＩ線に沿う矢視断面図。
【図３】前記実施形態におけるプレートの斜視図。
【図４】前記実施形態における水切り用開口部近傍の正面図。
【図５】図１のＶ−Ｖ線に沿う矢視断面図。
【図６】前記実施形態におけるリフォーム方法を示す説明図。
【図７】前記実施形態におけるリフォーム方法を示す説明図。
【符号の説明】
１　　　　　　建物
２　　　　　　外壁
４Ｌ，４Ｒ　　プレート（水切り部材）
５　　　　　　サイディング（化粧部材）
２１　　　　　　開口部
２２Ｌ，２２Ｒ　水切り用開口部
４１　　　　　　水受け部
４２　　　　　　本体
５１　　　　　　上辺サイディング（上辺部分）
５２Ｌ，５２Ｒ　側辺サイディング（側辺部分）
６１　　　　　　第１コーキング（第１止水部材）
６２　　　　　　第２コーキング（第２止水部材）
６３Ａ，６３Ｂ　第３コーキング（第３止水部材）
【図１】
2004143883.tif 000003
【図２】
2004143883.tif 000004
【図３】
2004143883.tif 000005
【図４】
2004143883.tif 000006
【図５】
2004143883.tif 000007
【図６】
2004143883.tif 000008
【図７】
2004143883.tif 000009